(57)【要約】      （修正有）【課題】電源バスバーとコンタクト部材とをより均一に接触させることが可能な、コネクタのフローティング構造を提供する。【解決手段】電子装置は、ラック１１と、ユニット１２と、電源バスバー２０と、コネクタ本体７０と、コンタクト部材９０とを備える。ユニット１２は、ラック１１に搭載される。電源バスバー２０は、ラック１１に可動に支持され、コネクタ本体７０は、ユニット１２に可動に支持される。コンタクト部材９０は、コネクタ本体７０に可動に支持され、電源バスバー２０に接続される。【選択図】図３
2018160572.tif 000002
【特許請求の範囲】
【請求項１】
ラックと、
前記ラックに搭載されたユニットと、
前記ラックに可動に支持された電源バスバーと、
前記ユニットに可動に支持されたコネクタ本体と、
前記コネクタ本体に可動に支持され、前記電源バスバーに接続されたコンタクト部材と、
を備える電子装置。
【請求項２】
前記電源バスバーは、前記ラックの後部に対して前記ラックの左右方向に可動に支持されている、
請求項１に記載の電子装置。
【請求項３】
電源バスバーは、ベース部材に保持され、
前記ベース部材には、前記ラックの前後方向に貫通し、前記ラックの左右方向を長手方向とする長穴が形成され、
前記ラックには、前記長穴の長手方向両端部との間に隙間を有して前記長穴に挿入されたバスバー支持部材が固定されている、
請求項２に記載の電子装置。
【請求項４】
前記電源バスバーは、前記ラックの上下方向に延びる接続溝を有し、
前記接続溝には、前記接続溝の深さ方向に並び、それぞれ前記接続溝の側面に対して突出する複数の凸部を有するバスバーコンタクトが収容され、
前記コンタクト部材には、前記接続溝に挿入され、前記複数の凸部と接触するコンタクトが形成されている、
請求項２又は請求項３に記載の電子装置。
【請求項５】
前記コネクタ本体は、前記ユニットの後部に対して前記ユニットの左右方向及び上下方向に可動に支持されている、
請求項１〜請求項４のいずれか一項に記載の電子装置。
【請求項６】
前記ユニットには、前記ユニットの前後方向に貫通するコネクタ支持穴が形成され、
前記コネクタ本体には、前記コネクタ支持穴の内周部との間に前記ユニットの左右方向及び上下方向の隙間を有して前記コネクタ支持穴に挿入されたコネクタ支持部材が固定されている、
請求項５に記載の電子装置。
【請求項７】
前記電源バスバーには、前記ユニット側に向けて開口するガイド溝が形成され、
前記コネクタ本体には、前記電源バスバー側に向けて突出し、前記ガイド溝に挿入されるガイド突起が形成されている、
請求項１〜請求項６のいずれか一項に記載の電子装置。
【請求項８】
前記コンタクト部材は、前記コネクタ本体に対して前記ユニットの左右方向、上下方向、及び、前後方向に可動に支持されている、
請求項１〜請求項７のいずれか一項に記載の電子装置。
【請求項９】
前記コンタクト部材には、前記ユニットの前後方向に貫通するコンタクト支持穴が形成され、
前記コネクタ本体には、前記コンタクト支持穴の内周部との間に前記ユニットの左右方向及び上下方向の隙間を有して前記コンタクト支持穴に挿入された軸部と、前記コンタクト支持穴の開口周縁部との間に前記ユニットの前後方向の隙間を有する頭部とを有するコンタクト支持部材が固定されている、
請求項８に記載の電子装置。
【発明の詳細な説明】
【技術分野】
【０００１】
本願の開示する技術は、電子装置に関する。
【背景技術】
【０００２】
電子装置としては、ラックと、このラックに搭載されるユニットとを備えるものがある。また、このような電子装置のなかには、ユニットに電源を供給する構造として、ラックに設けられた電源バスバーと、電子装置に設けられて電源バスバーに接続されるコネクタとを備えるものがある（例えば、特許文献１参照）。一般に、このような電源供給構造において、電源バスバーの位置と、コネクタの位置との間に誤差が生じると、電源バスバーとコネクタとを正しく接続できない虞がある。
【０００３】
そこで、コネクタを支持するパネルに切欠きを設け、この切欠きにコネクタをスライド可能に取り付ける、コネクタのフローティング構造が提案されている（例えば、特許文献２参照）。このようなコネクタのフローティング構造によれば、電源バスバーの位置と、コネクタの位置との間に誤差が生じても、コネクタがスライドすることで誤差を吸収し、電源バスバーとコネクタとを正しく接続できることが期待できる。
【先行技術文献】
【特許文献】
【０００４】
【特許文献１】特開２００３−３３２００２号公報
【特許文献２】特開平６−４５０３３号公報
【発明の概要】
【発明が解決しようとする課題】
【０００５】
ところで、コネクタには、電源バスバーと接触するコンタクト部材が設けられており、大電流を安定して供給するためには、電源バスバーとコンタクト部材をより均一に接触させることが望まれる。しかしながら、上述のコネクタのフローティング構造では、コネクタのスライド量が制約されるため、電源バスバーとコンタクト部材を均一に接触させることができない虞がある。したがって、電源バスバーとコンタクト部材をより均一に接触させるためには、改良の余地がある。
【０００６】
本願の開示する技術は、上記課題に鑑みて成されたものであり、一つの側面として、電源バスバーとコンタクト部材をより均一に接触させることを目的とする。
【課題を解決するための手段】
【０００７】
上記目的を達成するために、本願の開示する技術に係る電子装置は、ラックと、ユニットと、電源バスバーと、コネクタ本体と、コンタクト部材とを備える。ユニットは、ラックに搭載される。電源バスバーは、ラックに可動に支持され、コネクタ本体は、ユニットに可動に支持される。コンタクト部材は、コネクタ本体に可動に支持され、電源バスバーに接続される。
【発明の効果】
【０００８】
本願の開示する技術によれば、電源バスバーとコンタクト部材とをより均一に接触させることができる。
【図面の簡単な説明】
【０００９】
【図１】本実施形態の電子装置を前側から見た斜視図である。
【図２】図１に示される電子装置を後側から見た斜視図である。
【図３】図２に示される電子装置の後側に設けられた電源供給構造及びその周辺部の斜視図である。
【図４】図３に示される電源バスバー及びその取付部材の分解斜視図である。
【図５】図４の要部拡大図である。
【図６】図５に示される電源バスバー及びその取付部材の三面図である。
【図７】図６に示される電源バスバーが取付金具に対して左右方向に可動であることを説明する図である。
【図８】図３に示されるコネクタ及びユニットの後部の斜視図である。
【図９】図８に示されるコネクタ及びユニットの後部の三面図である。
【図１０】図９に示されるコネクタ本体がユニットの後部に対して左右方向に可動であることを説明する図である。
【図１１】図９に示されるコネクタ本体がユニットの後部に対して上下方向に可動であることを説明する図である。
【図１２】図３に示されるコネクタの分解斜視図である。
【図１３】図１２に示されるコネクタの三面図である。
【図１４】図１３に示されるコンタクト部材がコネクタ本体に対して可動であることを説明する図である。
【図１５Ａ】図３に示される電源バスバーに真っ直ぐな状態のコネクタを嵌合させる第一の嵌合例の前半を説明する図である。
【図１５Ｂ】図３に示される電源バスバーに真っ直ぐな状態のコネクタを嵌合させる第一の嵌合例の後半を説明する図である。
【図１６Ａ】図３に示される電源バスバーに斜めの状態のコネクタを嵌合させる第二の嵌合例の前半を説明する図である。
【図１６Ｂ】図３に示される電源バスバーに斜めの状態のコネクタを嵌合させる第二の嵌合例の後半を説明する図である。
【図１７】図３に示される電源バスバーへの電源供給方式の変形例を示す図である。
【発明を実施するための形態】
【００１０】
はじめに、本願の開示する技術の一実施形態に係る電子装置の構成の概略を説明する。
【００１１】
図１は、本実施形態の電子装置１０を前側から見た斜視図であり、図２は、図１に示される電子装置１０を後側から見た斜視図である。図１、図２に示されるように、本実施形態の電子装置１０は、ラック１１と、複数のユニット１２とを備える。
【００１２】
図１、図２、及び、以下に説明する各図において、矢印ＦＲ、矢印ＵＰ、矢印ＬＨは、ラック１１の前後方向前側、上下方向上側、左右方向左側をそれぞれ示している。各ユニット１２の前後方向、上下方向、左右方向は、ラック１１の前後方向、上下方向、左右方向と同じである。
【００１３】
ラック１１は、上壁部１３と、下壁部１４と、一対の側壁部１５とを有する。上壁部１３及び下壁部１４は、ラック１１の上下方向に離間しており、一対の側壁部１５は、下壁部１４に対して上壁部１３を支持している。複数のユニット１２は、それぞれ概略平盤状に形成されており、ラック１１の上下方向に積み重ねられた状態でラック１１に搭載されている。複数のユニット１２は、例えば通信装置などの電子機器（電子ユニット）である。
【００１４】
図３は、図２に示される電子装置１０の後側（背面側）に設けられた電源供給構造Ｓ及びその周辺部の斜視図である。図３に示されるように、電子装置１０は、電源供給装置１６を備える。電源供給装置１６は、ユニット１２と同様に、ラック１１に搭載されている。また、本実施形態の電子装置１０は、電源供給装置１６からユニット１２に給電するための電源供給構造Ｓを備える。
【００１５】
電源供給構造Ｓは、一対の電源バスバー２０と、コネクタ５０とを有する。さらに、コネクタ５０は、コネクタ本体７０と、一対のコンタクト部材９０とを有する。一対の電源バスバー２０は、ラック１１に可動に支持され、コネクタ本体７０は、ユニット１２に可動に支持される。また、一対のコンタクト部材９０は、コネクタ本体７０に可動に支持され、電源バスバー２０に接続される。以下、この電源供給構造Ｓを構成する部材のより具体的な構成について、順に説明する。
【００１６】
（電源バスバー）
図４は、図３に示される電源バスバー２０及びその取付部材の分解斜視図であり、図５は、図４の要部拡大図であり、図６は、図５に示される電源バスバー２０及びその取付部材の三面図である。
【００１７】
図４、図５に示されるように、一対の電源バスバー２０は、長尺状に形成されている。この一対の電源バスバー２０は、上述のラック１１の上下方向にそれぞれ延び、ラック１１の左右方向に並んで配置される。一対の電源バスバー２０には、ラック１１の前側に向けて突出する突出部２１（図６も参照）がそれぞれ形成されている。
【００１８】
図６に示されるように、一対の突出部２１の間は、ラック１１の前側（図３に示されるユニット１２側）に向けて開口するガイド溝２２として形成されている。ガイド溝２２の開口側には、ラック１１の後側に向かうに従って溝幅が狭くなるテーパ部２３が形成されている。また、各突出部２１には、ラック１１の上下方向に延びる接続溝２４がそれぞれ形成されている。
【００１９】
接続溝２４の開口側には、傾斜部２５が形成されている。傾斜部２５は、各接続溝２４の両側の側壁部２６、２７のうち、一対の突出部２１の幅方向外側に位置する側壁部２６に形成されている。傾斜部２５は、接続溝２４の底側に向かうに従って、外側の側壁部２６の側から内側の側壁部２７の側に向かうように接続溝２４の深さ方向（ラック１１の前後方向）に対して傾斜している。
【００２０】
各接続溝２４には、バスバーコンタクト２８がそれぞれ収容されている。バスバーコンタクト２８は、上面視で概略Ｕ字状に形成されており、接続溝２４の内周面に沿って配置されている。バスバーコンタクト２８は、複数の凸部２９を有する。複数の凸部２９は、接続溝２４の両側の側面に沿って接続溝２４の深さ方向（ラック１１の前後方向）にそれぞれ並んで配置されている。この複数の凸部２９は、それぞれ接続溝２４の側面に対して接続溝２４の内側へ突出している。
【００２１】
図４〜図６に示されるように、一対の電源バスバー２０をラック１１に取り付けるための取付部材としては、ベース部材３０及び搭載金具４０が用いられている。ベース部材３０は、電源バスバー２０の上下方向に延びる長尺状に形成されており、電源バスバー２０の上端から他端に亘って一対の電源バスバー２０を保持している。
【００２２】
ベース部材３０の両側の側面部には、それぞれ取付部３１が突出して形成されている。各取付部３１には、ラック１１の前後方向に貫通する長穴３２が形成されている。長穴３２は、ラック１１の左右方向を長手方向として形成されている。
【００２３】
図４に示されるように、搭載金具４０は、上面視でラック１１の前側に開口する開放形状であり、ラック１１の後側から一対の電源バスバー２０及びベース部材３０を覆っている。搭載金具４０の一方の縦縁部には、ラック１１の側方に向けて延びる取付片４１が形成されている。
【００２４】
取付片４１には、ラック１１の前後方向に貫通する貫通穴４２が形成されている。この貫通穴４２に不図示のネジが挿入されると共に、このネジがラック１１に形成された不図示のネジ穴に螺入されることにより、搭載金具４０は、ラック１１の後部（背面部）に固定される。また、搭載金具４０には、ラック１１の前後方向に貫通するネジ穴４３が形成されている。このネジ穴４３は、上述の長穴３２の中心部と整合する位置に形成されている。
【００２５】
搭載金具４０へのベース部材３０の固定には、「バスバー支持部材」の一例として、ネジ４４及びスペーサ４５が使用される。スペーサ４５は、円筒状に形成されている。このスペーサ４５は、ラック１１の前後方向を軸方向として長穴３２に挿入される。スペーサ４５は、長穴３２に挿入された状態において、長穴３２の長手方向両端部との間に隙間を有する（図６参照）。ネジ４４は、スペーサ４５の内側に挿入され、ネジ穴４３に螺入される。
【００２６】
図７は、図６に示される電源バスバー２０が取付金具に対して左右方向に可動であることを説明する図である。図７に示されるように、ネジ４４がネジ穴４３に螺入された状態では、スペーサ４５が長穴３２を相対移動する範囲内において、電源バスバー２０がベース部材３０と共にラック１１の後部に対してラック１１の左右方向に可動に支持される。
【００２７】
（コネクタ本体）
図８は、図３に示されるコネクタ５０及びユニット１２の後部の斜視図であり、図９は、図８に示されるコネクタ５０及びユニット１２の後部の三面図である。図８、図９に示されるように、ユニット１２に設けられた筐体６０の後壁部６１には、取付穴６２と、一対のコネクタ支持穴６３とが形成されている。取付穴６２及び一対のコネクタ支持穴６３は、いずれもユニット１２の後方視で四角形状に形成されており、ユニット１２の前後方向に貫通している。一対のコネクタ支持穴６３は、取付穴６２の左右両側に位置する。
【００２８】
コネクタ５０は、上述のように、コネクタ本体７０を有する。コネクタ本体７０は、プレート部７１と、一対のガイド突起７２と、一対の側方ガイド７３とを有する。プレート部７１は、筐体６０の内側に配置され、後壁部６１の前側から後壁部６１に重ね合わされて取付穴６２を塞いでいる。
【００２９】
図９に示されるように、プレート部７１には、ユニット１２の前後方向に貫通する貫通穴７４が形成されている。また、ユニット１２の内部には、受電端子６４が設けられており、受電端子６４と、後に詳述するコンタクト部材９０とは、貫通穴７４を通じて延びるケーブル６５によって接続されている。
【００３０】
プレート部７１の両側の側部には、取付部７５が形成されており、一対のコネクタ支持穴６３は、取付部７５によってそれぞれ塞がれている。取付部７５におけるコネクタ支持穴６３の中心部と整合する位置には、ユニット１２の前後方向に貫通するネジ穴７６が形成されている。
【００３１】
一対のガイド突起７２は、ユニット１２の後側（図３に示される電源バスバー２０側）に向けて突出している。この一対のガイド突起７２は、それぞれユニット１２の上下方向を板厚方向とする板状に形成されており、ユニット１２の上下方向に対向している。ユニット１２の後面に対するガイド突起７２の突出長さは、後述するコンタクト９２のユニット１２の後面に対する突出長さよりも長くなっている。
【００３２】
一対の側方ガイド７３は、それぞれユニット１２の左右方向を板厚方向とする板状に形成されており、ユニット１２の左右方向に対向している。この一対のガイド突起７２及び一対の側方ガイド７３は、それぞれ取付穴６２を通じてユニット１２の後側に突出している。
【００３３】
一対のガイド突起７２の先端部（後端部）には、先端側に向かうに従って幅狭となるテーパ部７７がそれぞれ形成されている。同様に、一対の側方ガイド７３の先端部（後端部）にも、先端側に向かうに従って幅狭となるテーパ部７８がそれぞれ形成されている。
【００３４】
ユニット１２の後壁部６１へのコネクタ本体７０の固定には、「コネクタ支持部材」の一例として、ネジ７９及びスペーサ８０が使用される。スペーサ８０は、円筒状に形成されている。このスペーサ８０は、ユニット１２の前後方向を軸方向としてコネクタ支持穴６３に挿入される。スペーサ８０は、コネクタ支持穴６３に挿入された状態において、コネクタ支持穴６３の内周部との間にユニット１２の左右方向及び上下方向の隙間を有する。ネジ７９は、スペーサ８０の内側に挿入され、ネジ穴７６に螺入される。
【００３５】
図１０は、図９に示されるコネクタ本体７０がユニット１２の後部に対して左右方向に可動であることを説明する図であり、図１１は、図９に示されるコネクタ本体７０がユニット１２の後部に対して上下方向に可動であることを説明する図である。図１０、図１１に示されるように、ネジ７９がネジ穴７６に螺入された状態では、スペーサ８０がコネクタ支持穴６３を相対移動する範囲内において、コネクタ本体７０がユニット１２の後部に対してユニット１２の左右方向及び上下方向に可動に支持される。
【００３６】
なお、コネクタ本体７０がユニット１２の後部に対してユニット１２の左右方向及び上下方向に移動するときには、ケーブル６５が屈曲することでコネクタ本体７０の移動が許容される。
【００３７】
（コンタクト部材）
図１２は、図３に示されるコネクタ５０の分解斜視図であり、図１３は、図１２に示されるコネクタ５０の三面図である。図１２、図１３に示されるように、一対のコンタクト部材９０は、コンタクトベース９１と、コンタクト９２とを有する。コンタクトベース９１は、ユニット１２の前後方向を厚さ方向とする板状に形成されている。
【００３８】
図１２に示されるように、コンタクトベース９１は、ユニット１２の上下方向に延びる第一ベース部９３と、第一ベースの上下方向の一方側からユニット１２の左右方向に突出する第二ベース部９４とを有する。
【００３９】
第一ベース部９３及び第二ベース部９４には、ユニット１２の前後方向に貫通する段付き穴９５がそれぞれ形成されている。第一ベース部９３の段付き穴９５は、ユニット１２の上下方向に並んでいる。また、第一ベース部９３の段付き穴９５と、第二ベース部９４の段付き穴９５とは、ユニット１２の左右方向に並んでいる。
【００４０】
コンタクト支持穴９６は、段付き穴９５におけるプレート部７１側（前側）に形成されており、ネジ収容穴９７は、段付き穴９５におけるプレート部７１と反対側（後側）に形成されている。コンタクト支持穴９６とネジ収容穴９７との間には、段差部９８が形成されている。なお、コネクタ本体７０のプレート部７１における上述の段付き穴９５の中心部と整合する位置には、ユニット１２の前後方向に貫通するネジ穴８１がそれぞれ形成されている。
【００４１】
コンタクト９２は、ユニット１２の左右方向を厚さ方向とする板状に形成されている。コンタクト９２は、第一ベース部９３からユニット１２の後側に向けて延びている。コンタクト９２の先端部（後端部）には、先端側に向かうに従って幅狭となるテーパ部１００が形成されている。
【００４２】
一対のコンタクト部材９０は、互い違いに配置される。すなわち、一方のコンタクト部材９０の第一ベース部９３と他方のコンタクト部材９０の第一ベース部９３とは、ユニット１２の左右方向に並んで配置される。また、一方のコンタクト部材９０の第二ベース部９４と他方のコンタクト部材９０の第二ベース部９４とは、ユニット１２の上下方向に並んで配置される。
【００４３】
また、一対のコンタクト部材９０のプレート部７１は、ユニット１２の後側からコネクタ本体７０のプレート部７１に重ね合わされる。この一対のコンタクト部材９０は、上下一対のガイド突起７２の間、及び、左右一対の側方ガイド７３の間にそれぞれ配置される。
【００４４】
コネクタ本体７０への一対のコンタクト部材９０の固定には、「コンタクト支持部材」の一例として、ネジ１０１が使用される。ネジ１０１は、段付き穴９５（コンタクト支持穴９６）に挿入され、ネジ穴８１に螺入される。ネジ１０１は、より具体的には、コンタクト支持穴９６に挿入される軸部１０１Ａと、ネジ収容穴９７に収容される頭部１０１Ｂとを有する。
【００４５】
図１３に示されるように、ネジ１０１がネジ穴８１に螺入された状態において、軸部１０１Ａは、コンタクト支持穴９６の内周部との間にユニット１２の左右方向及び上下方向の隙間を有する。また、頭部１０１Ｂは、コンタクト支持穴９６の開口周縁部（段差部９８）との間にユニット１２の前後方向の隙間を有する。
【００４６】
図１４は、図１３に示されるコンタクト部材９０がコネクタ本体７０に対して可動であることを説明する図である。図１４に示されるように、ネジ１０１がネジ穴８１に螺入された状態では、軸部１０１Ａがコンタクト支持穴９６を相対移動する範囲内において、コンタクト部材９０がコネクタ本体７０に対してユニット１２の左右方向及び上下方向に可動に支持される。また、コンタクト支持穴９６の開口周縁部（段差部９８）に対して頭部１０１Ｂの相対移動が許容される範囲内において、コンタクト部材９０がコネクタ本体７０に対してユニット１２の前後方向に可動に支持される。
【００４７】
なお、コンタクト部材９０は、ユニット１２の左右方向及び上下方向に加えてユニット１２の前後方向に可動に支持されることにより、ユニット１２の左右方向及び上下方向に回転（傾動）可能となっている。
【００４８】
次に、上述の電源バスバー２０とコネクタ５０との嵌合例について説明する。
【００４９】
（第一の嵌合例）
図１５Ａ、図１５Ｂは、図３に示される電源バスバー２０に真っ直ぐな状態のコネクタ５０を嵌合させる第一の嵌合例を説明する図である。この第一の嵌合例では、ラック１１の前側からユニット１２をラック１１に挿入する際に、コネクタ５０を含むユニット１２の全体は、真っ直ぐな状態になっているが、ラック１１に対して右側にずれた状態となっている。
【００５０】
この第一の嵌合例では、状態（１）から状態（２）に示されるように、ユニット１２がラック１１に挿入されていくと、ガイド突起７２の先端部に形成されたテーパ部７７が、一対の電源バスバー２０の間のガイド溝２２の開口側に形成されたテーパ部２３と接触する。これにより、電源バスバー２０と共にベース部材３０がラック１１に対して右側に移動すると共に、コネクタ本体７０を含むコネクタ５０の全体がユニット１２に対して左側に移動する。
【００５１】
また、状態（２）から状態（３）に示されるように、ユニット１２がラック１１にさらに挿入されていくと、右側のコンタクト９２の先端部に形成されたテーパ部１００が、右側の電源バスバー２０の接続溝２４の開口側に形成された傾斜部２５と接触する。これにより、状態（３）に示されるように、右側のコンタクト９２を含むコンタクト部材９０の全体が左側に回転（傾動）し、右側のコンタクト９２が右側の電源バスバー２０の接続溝２４に挿入される。また、コネクタ本体７０を含むコネクタ５０の全体がユニット１２に対してさらに左側に移動する。
【００５２】
さらに、状態（４）に示されるように、左側のコンタクト９２の先端部に形成されたテーパ部１００も、左側の電源バスバー２０の接続溝２４の開口側の端部と接触する。これにより、左側のコンタクト９２を含むコンタクト部材９０の全体が左側に回転（傾動）し、左側のコンタクト９２も左側の電源バスバー２０の接続溝２４に挿入される。また、一対の側方ガイド７３の内側に一対の電源バスバー２０が挿入される。
【００５３】
そして、状態（５）に示されるように、電源バスバー２０に対するコンタクト９２の位置が補正され、ガイド突起７２がガイド溝２２の奥側まで挿入されると共に、コンタクト９２が接続溝２４の奥側まで挿入される。コンタクト９２は、接続溝２４の奥側まで挿入された状態では、バスバーコンタクト２８に形成された複数の凸部２９と接触する。また、このようにして電源バスバー２０にコンタクト部材９０が接続された状態では、一対の側方ガイド７３によって一対の電源バスバー２０の側面が保持され、電源バスバー２０とコネクタ５０とが嵌合された状態になる。
【００５４】
（第二の嵌合例）
図１６Ａ、図１６Ｂは、図３に示される電源バスバー２０に斜めの状態のコネクタ５０を嵌合させる第二の嵌合例を説明する図である。この第二の嵌合例では、ラック１１の前側からユニット１２をラック１１に挿入する際に、コネクタ５０を含むユニット１２の全体が、斜めの状態になっており、かつ、ラック１１に対して右側にずれた状態となっている。
【００５５】
この第二の嵌合例では、状態（１）から状態（２）に示されるように、ユニット１２がラック１１に挿入されていくと、ガイド突起７２の先端部に形成されたテーパ部７７が、一対の電源バスバー２０の間のガイド溝２２の開口側に形成されたテーパ部２３と接触する。これにより、電源バスバー２０と共にベース部材３０がラック１１に対して右側に移動すると共に、コネクタ本体７０を含むコネクタ５０の全体がユニット１２に対して左側に移動する。
【００５６】
また、状態（２）から状態（３）に示されるように、ユニット１２がラック１１にさらに挿入されていくと、右側のコンタクト９２の先端部に形成されたテーパ部１００が、右側の電源バスバー２０の接続溝２４の開口側に形成された傾斜部２５と接触する。これにより、状態（３）に示されるように、右側のコンタクト９２を含むコンタクト部材９０の全体が左側に回転（傾動）し、右側のコンタクト９２が右側の電源バスバー２０の接続溝２４に挿入される。また、コネクタ本体７０を含むコネクタ５０の全体がユニット１２に対してさらに左側に移動する。
【００５７】
また、状態（３）から状態（４）に示されるように、左側のコンタクト９２の先端部に形成されたテーパ部１００も、左側の電源バスバー２０の接続溝２４の開口側の端部と接触する。これにより、左側のコンタクト９２を含むコンタクト部材９０の全体が左側に回転（傾動）し、左側のコンタクト９２も左側の電源バスバー２０の接続溝２４に挿入される。さらに、左側の側方ガイド７３が、左側の電源バスバー２０の側面の先端部に接触する。
【００５８】
そして、状態（４）から状態（６）に示されるように、ユニット１２がラック１１にさらに挿入されていくと、電源バスバー２０に対するコンタクト９２の位置が補正され、ガイド突起７２がガイド溝２２の奥側まで挿入されると共に、コンタクト９２が接続溝２４の奥側まで挿入される。コンタクト９２は、接続溝２４の奥側まで挿入された状態では、バスバーコンタクト２８に形成された複数の凸部２９と接触する。
【００５９】
また、このようにして電源バスバー２０にコンタクト部材９０が接続された状態では、一対の側方ガイド７３によって一対の電源バスバー２０の側面が保持され、電源バスバー２０とコネクタ５０とが嵌合された状態になる。
【００６０】
なお、この第二の嵌合例では、状態（６）に示されるように、ユニット１２がラック１１に搭載された状態でも、ユニット１２が斜めになっている。このため、コンタクト部材９０は、左側に回転した状態で、電源バスバー２０に接続される。
【００６１】
次に、本実施形態の作用及び効果について説明する。
【００６２】
以上詳述したように、本実施形態の電子装置１０において、電源バスバー２０は、ラック１１に可動に支持され、コネクタ本体７０は、ユニット１２に可動に支持され、コンタクト部材９０は、コネクタ本体７０に可動に支持されている。したがって、三箇所のフローティング構造が採用されているので、電源バスバー２０に対するコンタクト部材９０の相対的な移動量を確保できる。これにより、電源バスバー２０の位置と、コネクタ５０の位置との間に誤差が生じても、この誤差を効果的に吸収できる。この結果、電源バスバー２０（複数の凸部２９）とコンタクト部材９０をより均一に接触させることができる。
【００６３】
また、電源バスバー２０は、ラック１１の後部に対してラック１１の左右方向に可動に支持されており、コネクタ本体７０は、ユニット１２の後部に対してユニット１２の左右方向及び上下方向に可動に支持されている。したがって、電源バスバー２０に対してコネクタ本体７０を上下左右にスライドさせることができるので、電源バスバー２０に対してコネクタ５０の位置を適切に合せることができる。
【００６４】
しかも、コンタクト部材９０は、コネクタ本体７０に対してユニット１２の左右方向、上下方向、及び、前後方向に可動に支持されており、コンタクト９２を含むコンタクト部材９０の全体は、上下左右に回転（傾動）可能となっている。したがって、電源バスバー２０に対してコネクタ５０の位置がずれている場合でも、コンタクト９２を含むコンタクト部材９０の全体が上下左右に回転することにより、電源バスバー２０の接続溝２４にコンタクト９２を円滑に挿入させることができる。
【００６５】
また、ユニット１２がラック１１に斜めに搭載された状態でも、コンタクト部材９０が回転することで、コンタクト９２を電源バスバー２０の接続溝２４に真っ直ぐに挿入することができる。これにより、ユニット１２がラック１１に斜めに搭載されていても、電源バスバー２０とコンタクト部材９０との接触を均一にすることができる。
【００６６】
次に、本実施形態の変形例について説明する。
【００６７】
上記実施形態において、電源バスバー２０は、ベース部材３０及び搭載金具４０を介してラック１１に支持されている。しかしながら、電源バスバー２０は、ベース部材３０及び搭載金具４０以外の部材を介してラック１１に支持されても良い。
【００６８】
また、上記実施形態では、電源バスバー２０をラック１１の後部に対してラック１１の左右方向に可動に支持する構造として、長穴３２と、ネジ４４と、スペーサ４５が使用されているが、その他の構造が使用されても良い。
【００６９】
また、上記実施形態では、長穴３２に挿入される「バスバー支持部材」の一例として、ネジ４４及びスペーサ４５が使用されているが、例えば、ピンなど、ネジ４４及びスペーサ４５以外の部材が使用されても良い。
【００７０】
また、上記実施形態では、コネクタ本体７０をユニット１２の後部に対してユニット１２の左右方向及び上下方向に可動に支持する構造として、コネクタ支持穴６３と、ネジ７９と、スペーサ８０が使用されているが、その他の構造が使用されても良い。
【００７１】
また、上記実施形態では、コネクタ支持穴６３に挿入される「コネクタ支持部材」の一例として、ネジ７９及びスペーサ８０が使用されているが、例えば、ピンなど、ネジ７９及びスペーサ８０以外の部材が使用されても良い。
【００７２】
また、上記実施形態では、コンタクト部材９０をコネクタ本体７０に対してユニット１２の左右方向、上下方向、及び、前後方向に可動に支持する構造として、コンタクト支持穴９６と、ネジ１０１が使用されているが、その他の構造が使用されても良い。
【００７３】
また、上記実施形態では、コンタクト支持穴９６に挿入される「コンタクト支持部材」の一例として、ネジ１０１が使用されている。しかしながら、上述のラック１１への電源バスバー２０の支持構造及びユニット１２へのコネクタ本体７０の支持構造と同様に、「コンタクト支持部材」の一例として、ネジ１０１に加えてスペーサが使用されても良い。また、「コンタクト支持部材」の一例として、例えば、ピンなど、ネジ１０１以外の部材が使用されても良い。
【００７４】
また、上記実施形態において、コネクタ５０は、凸型のプラグ形状であるが、凹型のレセプタクル形状でも良い。また、コネクタ５０が凹型のレセプタクル形状である場合、電源バスバー２０は、凸型のプラグ形状でも良い。
【００７５】
また、上記実施形態では、図３に示されるように、ラック１１に電源供給装置１６が搭載され、電源バスバー２０は、電源供給装置１６から電源供給される。しかしながら、電源バスバー２０への電源供給は、その他の構造でも良い。
【００７６】
ここで、図１７は、図３に示される電源バスバー２０への電源供給方式の変形例を示す図である。この図１７に示される変形例では、電源バスバー２０が系統電源から電源供給されるようになっている。このように、電源バスバー２０への電源供給には、電源供給装置及び系統電源のどちらが使用されても良い。
【００７７】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００７８】
なお、上述の本願の開示する技術の一実施形態に関し、更に以下の付記を開示する。
【００７９】
（付記１）
ラックと、
前記ラックに搭載されたユニットと、
前記ラックに可動に支持された電源バスバーと、
前記ユニットに可動に支持されたコネクタ本体と、
前記コネクタ本体に可動に支持され、前記電源バスバーに接続されたコンタクト部材と、
を備える電子装置。
（付記２）
前記電源バスバーは、前記ラックの後部に対して前記ラックの左右方向に可動に支持されている、
付記１に記載の電子装置。
（付記３）
電源バスバーは、ベース部材に保持され、
前記ベース部材には、前記ラックの前後方向に貫通し、前記ラックの左右方向を長手方向とする長穴が形成され、
前記ラックには、前記長穴の長手方向両端部との間に隙間を有して前記長穴に挿入されたバスバー支持部材が固定されている、
付記２に記載の電子装置。
（付記４）
前記電源バスバーは、前記ラックの上下方向に延びる接続溝を有し、
前記接続溝には、前記接続溝の深さ方向に並び、それぞれ前記接続溝の側面に対して突出する複数の凸部を有するバスバーコンタクトが収容され、
前記コンタクト部材には、前記接続溝に挿入され、前記複数の凸部と接触するコンタクトが形成されている、
付記２又は付記３に記載の電子装置。
（付記５）
前記コネクタ本体は、前記ユニットの後部に対して前記ユニットの左右方向及び上下方向に可動に支持されている、
付記１〜付記４のいずれか一項に記載の電子装置。
（付記６）
前記ユニットには、前記ユニットの前後方向に貫通するコネクタ支持穴が形成され、
前記コネクタ本体には、前記コネクタ支持穴の内周部との間に前記ユニットの左右方向及び上下方向の隙間を有して前記コネクタ支持穴に挿入されたコネクタ支持部材が固定されている、
付記５に記載の電子装置。
（付記７）
前記電源バスバーには、前記ユニット側に向けて開口するガイド溝が形成され、
前記コネクタ本体には、前記電源バスバー側に向けて突出し、前記ガイド溝に挿入されるガイド突起が形成されている、
付記１〜付記６のいずれか一項に記載の電子装置。
（付記８）
前記コンタクト部材は、前記コネクタ本体に対して前記ユニットの左右方向、上下方向、及び、前後方向に可動に支持されている、
付記１〜付記７のいずれか一項に記載の電子装置。
（付記９）
前記コンタクト部材には、前記ユニットの前後方向に貫通するコンタクト支持穴が形成され、
前記コネクタ本体には、前記コンタクト支持穴の内周部との間に前記ユニットの左右方向及び上下方向の隙間を有して前記コンタクト支持穴に挿入された軸部と、前記コンタクト支持穴の開口周縁部との間に前記ユニットの前後方向の隙間を有する頭部とを有するコンタクト支持部材が固定されている、
付記８に記載の電子装置。
【符号の説明】
【００８０】
１０  電子装置
１１  ラック
１２  ユニット
２０  電源バスバー
２８  バスバーコンタクト
２９  凸部
３０  ベース部材
３２  長穴
４０  搭載金具
４４  ネジ
４５  スペーサ
５０  コネクタ
６２  取付穴
６３  コネクタ支持穴
７０  コネクタ本体
７６  ネジ穴
７９  ネジ
８０  スペーサ
８１  ネジ穴
９０  コンタクト部材
９１  コンタクトベース
９２  コンタクト
９５  段付き穴
９６  コンタクト支持穴
９７  ネジ収容穴
９８  段差部
１０１  ネジ
【図１】
2018160572.tif 000003
【図２】
2018160572.tif 000004
【図３】
2018160572.tif 000005
【図４】
2018160572.tif 000006
【図５】
2018160572.tif 000007
【図６】
2018160572.tif 000008
【図７】
2018160572.tif 000009
【図８】
2018160572.tif 000010
【図９】
2018160572.tif 000011
【図１０】
2018160572.tif 000012
【図１１】
2018160572.tif 000013
【図１２】
2018160572.tif 000014
【図１３】
2018160572.tif 000015
【図１４】
2018160572.tif 000016
【図１５Ａ】
2018160572.tif 000017
【図１５Ｂ】
2018160572.tif 000018
【図１６Ａ】
2018160572.tif 000019
【図１６Ｂ】
2018160572.tif 000020
【図１７】
2018160572.tif 000021